(57)【特許請求の範囲】
【請求項１】
原水を供給する水栓に配置され切替弁により原水を所定の水路に切り替える切替ユニットと、原水の水処理を行う処理ユニットと、切替ユニットから処理ユニットへ原水を供給する給水管とを有し、前記切替ユニットは切替弁を操作する操作部と、切替弁を内装し上下に分割されたケースと、給水管が接続される接続部を備え、この上下に分割された上ケースと下ケースには、互いを接合させた際に合一されて円形状となる操作部保持用孔がそれぞれ穿設されるとともにこの操作部保持用孔の孔縁に一定の間隔を保って縁取る円弧状の係合凹溝がそれぞれ形成され、操作部には、操作部保持用孔に回転自在に嵌合されて枢支される枢支軸部と、上ケース及び下ケースの各係合凹溝にそれぞれ挿入される係合突片とが形成され、上下に分割されたケースを、操作部の係合突片で上下から挟み込み、且つ接続部で上下から挟み込んで、接合したことを特徴とする水処理装置。
【請求項２】
上下のケースの各接合部に接合用突部及び接合用凹部を対向して形成し、接合用突部の接合用凹部への係止で上下のケースを接合したことを特徴とする請求項１に記載の水処理装置。
【請求項３】
ケースと切替弁との間に、ケース内の所定位置に切替弁の位置決めを行う係合構造を設けたことを特徴とする請求項１または請求項２に記載の水処理装置。
【請求項４】
ケースと操作部との間に、切替弁の回動範囲を規制する回動規制部を設けたことを特徴とする請求項１乃至請求項３のいずれかに記載の水処理装置。
【請求項５】
上記回動規制部を、弁体の回動範囲に対応した長さを有してなる操作部とケースとのいずれか一方に設けた回転規制用溝部と、上記溝部にスライド自在に嵌合してなる操作部とケースとのいずれか他方に設けた回転規制用突部とで構成し、ケースの接合面と略平行な方向に向けて回転規制用突部を突出させると共に回転規制用溝部を開口させ、切替ユニット組立時に回転規制用突部を回転規制用溝部内に導くための上下方向に延びる案内溝部を回転規制用溝部に連設したことを特徴とする請求項４に記載の水処理装置。
【請求項６】
ケースと操作部との間に、ケースの接合面に直交する面方向に開口する抜止用溝部と突出する抜止用突部とを設けると共に、これら抜止用溝部と抜止用突部とを係合したことを特徴とする請求項１乃至５のいずれかに記載の水処理装置。
【請求項７】
操作部をレバー本体とレバー本体の切替ユニットへの取付部分に装着するキャップ体とで構成し、キャップ体にはレバー本体に装着する装着部分とケースの接合部を取付ける上記係合突片で構成される係合部とを備えたことを特徴とする請求項１乃至６のいずれかに記載の水処理装置。
【請求項８】
処理ユニットに、給水管にて給水された原水を水処理して得た処理水を切替ユニットに送水せずに処理ユニット自身から吐水させる吐水部を設けたことを特徴とする請求項１乃至７のいずれかに記載の水処理装置。
【発明の詳細な説明】
【技術分野】
【０００１】
本発明は、原水を浄化する浄水装置等の水処理装置に関するものである。
【背景技術】
【０００２】
従来から、原水を浄化する浄水装置等の水処理装置１としては、図１１のように、原水を供給する水栓に配置され内蔵した切替弁５により原水を所定の水路に切り替える切替ユニット２と、切替ユニット２とは別体の原水の水処理を行って処理水を生成する処理ユニット３とを有し、上記切替ユニット２から処理ユニット３へ原水を供給する給水管４ａを切替ユニット２と処理ユニット３との間に接続したものが知られている（たとえば特許文献１参照）。
【０００３】
詳しくは、特許文献１の水処理装置１は、切替ユニット２の外殻が上下に分割された樹脂製の上ケース６ａ及び下ケース６ｂのネジの締め付けによる高い強度を備えた接合で形成されており、ケース６に内装した切替弁５の水路に接続した給水管４ａや切替弁５の弁体２１に接続した切替レバーで構成した操作部７は上記ケース６にて上下から挟み込まれた構造とされている。
【０００４】
しかしながら、上記特許文献１の水処理装置１では、図１１（ｂ）のように、切替ユニット２の組立て（上ケース６ａ及び下ケース６ｂの接合）にネジを使用するものとなっていることから、切替ユニット２の組立ては煩雑であって時間がかかるものとなり、また台所作業で使用する洗剤等の薬品が樹脂製のケース６等の切替ユニット２の構成部品に付着すると劣化してしまい、加えて上記ネジの締め付けによると切替ユニット２に局所的な応力がかかることから、切替ユニット２のネジの使用部位においてケミカルクラックを発生させてしまうものであった。更に言うと、このようにケース６にケミカルクラックが発生すると、給水管４ａや操作部７がケース６に対してがたついたりする恐れも誘発してしまう。
【発明の開示】
【発明が解決しようとする課題】
【０００５】
本発明は上記の従来の問題点に鑑みて為したものであって、煩雑な組立作業やケミカルクラックの発生を回避するべく切替ユニットにネジを使用しないでも、切替ユニットのケースに給水管や操作部の取付けを含めた組立強度を充分に確保することができる水処理装置を提供することを課題とするものである。
【課題を解決するための手段】
【０００６】
上記課題を解決するために本発明の請求項１に係る水処理装置は、原水を供給する水栓に配置され切替弁５により原水を所定の水路に切り替える切替ユニット２と、原水の水処理を行う処理ユニット３と、切替ユニット２から処理ユニット３へ原水を供給する給水管４ａとを有し、前記切替ユニット２は切替弁５を操作する操作部７と、切替弁５を内装し上下に分割されたケース６と、給水管４ａが接続される接続部８を備え、この上下に分割された上ケース６ａと下ケース６ｂには、互いを接合させた際に合一されて円形状となる操作部保持用孔３７がそれぞれ穿設されるとともにこの操作部保持用孔３７の孔縁に一定の間隔を保って縁取る円弧状の係合凹溝３８がそれぞれ形成され、操作部７には、操作部保持用孔３７に回転自在に嵌合されて枢支される枢支軸部４０と、上ケース６ａ及び下ケース６ｂの各係合凹溝３８にそれぞれ挿入される係合突片４５とが形成され、上下に分割されたケース６を、操作部７の係合突片４５で上下から挟み込み、且つ接続部８で上下から挟み込んで、接合したことを特徴とする。これによると、ケース６の接合部を操作部７及び接続部８により取り付けたので、ケース６の接合にネジを使用しないでも、操作部７や給水管４ａの取付けを含めたケース６の組立強度を充分に確保できる。つまり、切替ユニット２にネジを使用しないで切替ユニット２に良好な組立性を確保すると共にケミカルクラックの発生を回避でき、しかも操作部７や給水管４ａのがたつき発生の恐れを低減した切替ユニット２の組立強度を確保することができるのである。
【０００７】
また、請求項２に係る水処理装置は、請求項１において、上下のケース６の各接合部に接合用突起９及び接合用凹部１０を対向して形成し、接合用突起９の接合用凹部１０への係止で上下のケース６を接合したことを特徴とする。これによると、ケース６の接合を、ネジのような他部品を使用せずに、接合用突起９の接合用凹部１０への係止にて組立性良く行わせることができる。
【０００８】
また、請求項３に係る水処理装置は、請求項１または請求項２において、ケース６と切替弁５との間に、ケース６内の所定位置に切替弁５の位置決めを行う係合構造を設けたことを特徴とする。これによると、切替弁５のケース６への内装が位置決めを伴って行うことができて良好な組立性を備えることができる。
【０００９】
また、請求項４に係る水処理装置は、請求項１乃至請求項３のいずれかにおいて、ケース６と操作部７との間に、切替弁５の回動範囲を規制する回動規制部１２を設けたことを特徴とする。これによると、切替弁５自体に回動規制部１２を設けずに済み、切替弁５の構成を簡略化できると共に、操作部７を過剰に回動させる等の不適当な操作があっても上記操作の力を切替弁５に直接作用させずに回動規制部１２を介してケース６全体で支えるようにできて、切替弁５にかかる負荷を低減できて切替弁５の耐久性を向上できる。
【００１０】
また、請求項５に係る水処理装置は、請求項４において、上記回動規制部１２を、弁体２１の回動範囲に対応した長さを有してなる操作部７とケース６とのいずれか一方に設けた回動規制用溝部１３と、上記回動規制用溝部１３にスライド自在に嵌合してなる操作部７とケース６とのいずれか他方に設けた回動規制用突部１４とで構成し、ケース６の接合面と略平行な方向に向けて回動規制用突部１４を突出させると共に回動規制用溝部１３を開口させ、切替ユニット２組立時に回動規制用突部１４を回動規制用溝部１３内に導くための上下方向に延びる案内溝部１５を回動規制用溝部１３に連設したことを特徴とする。これによると、操作部７を連結した切替弁５の上下から上ケース６ａ及び下ケース６ｂを被せるようにして接合して切替ユニット２の組立てを行う際に、操作部７とケース６との間で回動規制用突部１４を案内溝部１５を介して回動規制用溝部１３内にスムーズに収めることができ、切替ユニット２を容易に組立ることができる。
【００１１】
また、請求項６に係る水処理装置は、請求項１乃至請求項５のいずれかにおいて、ケース６と操作部７との間に、ケース６の接合面に直交する面方向に開口する抜止用溝部１６と突出する抜止用突部１７とを設けると共に、これら抜止用溝部１６と抜止用突部１７とを係合したことを特徴とする。これによると、ケース６が接合した状態では、ケース６と操作部７との間でケース６の接合面に直交する面方向に開口する抜止用溝部１６と突出する抜止用突部１７とが係合するので、上下のケース６の接合面に平行な方向に操作部７がケース６から抜け落ちることを防止できる。
【００１２】
また、請求項７に係る水処理装置は、請求項１乃至請求項６のいずれかにおいて、操作部７をレバー本体１８とレバー本体１８の切替ユニット２への取付部分に装着するキャップ体１９とで構成し、キャップ体１９にはレバー本体１８に装着する装着部１９ｂとケース６の接合部を取付ける係合突片４５で構成される係合部１９ｃとを備えたことを特徴とする。これによると、キャップ体１９がレバー本体１８に装着されている限り、操作部７によるケース６の接合部の取付け状態を維持できる。
【００１３】
また、請求項８に係る水処理装置は、請求項１乃至請求項７のいずれかにおいて、処理ユニット３に、給水管４ａにて給水された原水を水処理して得た処理水を切替ユニット２に送水せずに処理ユニット３自身から吐水させる吐水部２０を設けたことを特徴とする。これによると、給水管４ａにて給水された原水を水処理して得た処理水を処理ユニット３から切替ユニット２に送水して切替ユニット２から吐水させる水処理装置１に比べ、処理ユニット３から切替ユニット２への送水経路を無くすることができて構成の簡略化が図れるのであり、また、処理ユニット３の吐水部２０から直接吐水する吐水経路は処理ユニット３から切替ユニット２を介して吐水させる吐水経路に比べて短くできるから、吐水経路に溜まって衛生上の理由から捨水となる滞留水を減らすことができて、節水効果を向上できると共に捨水にかかる時間を低減できて水処理装置１の使用性を高めることができる。
【発明の効果】
【００１４】
本発明は、煩雑な組立作業やケミカルクラックの発生を回避するべく切替ユニットにネジを使用しないでも、切替ユニットに給水管や操作部の取付けを含めた組立強度を充分に確保することができる、といった利点を有する。
【発明を実施するための最良の形態】
【００１５】
以下、本発明を添付図面に示す実施形態に基いて説明する。
【００１６】
図１乃至図１０に本発明の実施の形態の例を示す。本例の水処理装置１は、図１のように、原水を供給する水栓に配置され内蔵した切替弁５により原水を所定の水路に切り替える切替ユニット２と、切替ユニット２とは別体の原水の水処理を行って処理水を生成する処理ユニット３とを有し、上記切替ユニット２から処理ユニット３へ原水を供給する給水管４ａと、処理ユニット３で生成した処理水を切替ユニット２に送水する送水管４ｂとを一体化してなる管体４を、切替ユニット２と処理ユニット３との間に接続したことで形成されている。
【００１７】
処理ユニット３には、原水を濾過するための濾材が内蔵されたカートリッジ部３ａと、電気分解によって上記原水の水質をアルカリ性または酸性に変える電解槽３ｂとが内蔵され、上記給水管４ａを通って供給された原水から処理水を生成できるようにしてある。切替ユニット２は、図２のように、その外殻が上下に分割したケース６（上ケース６ａ、下ケース６ｂ）を接合することで形成され、この外殻内に水栓より供給された原水を所定の水路に切り替える切替弁５が内装されており、この切替ユニット２には、切替弁５の弁体２１を操作する操作部７が設けられ、また、接続部８を介して上記管体４が接続される。水の流れとしては、水栓より原水が切替ユニット２に供給され、その場合、切替弁５の弁室２２内の弁体２１の回動位置によって水路が選択されることとなる。本例の水処理装置１では、原水をそのまま切替ユニット２によりストレート状に吐水する原水ストレートモード（矢印Ａ→Ｂ）、原水をそのまま切替ユニット２によりシャワー状に吐水する原水シャワーモード（矢印Ａ→Ｃ）、また原水を切替ユニット２により給水管４ａ向けの水路に流して給水管４ａを介して処理ユニット３に供給し、処理ユニット３にて生成した処理水を送水管４ｂを介して切替ユニット２に送水させて切替ユニット２内の送水管４ｂ向けの水路を介して処理水を吐水する処理水モード（矢印Ａ→Ｄ→Ｅ→Ｆ→Ｇ→Ｈ→Ｉ→Ｊ）を有するものとされている。
【００１８】
切替ユニット２の切替弁５は、図３のように、内部に弁体２１が回動自在に備えられた弁室２２と各種水路とが一体に形成されたものである。各種水路としては、弁室２２からストレート吐水口に至るストレート吐水向け水路、弁室２２からシャワー吐水口に至るシャワー吐水向け水路、弁室２２から給水管４ａの接続口に至る給水管向け水路２３、送水管４ｂの接続口から処理水の吐水口に至る処理水吐水向け水路２４が備えられている。弁室２２は水栓を接続する水栓接続口２５に連通されており、弁室２２内の弁体２１を回動させて弁室２２内での弁体２１の回動位置を変更することで、弁室２２内に開口する各水路の入口が適宜開閉されて水栓からの原水が選択した各水路に向けて流れるようにされている。詳しくは、水栓接続口２５は上方に開口するように設けられ、また各種吐水口は下方に向けて開口するように設けられ、また給水管４ａ及び送水管４ｂの接続口は後方に向けて突出するように設けられ、また弁室２２は略水平に横倒しされたような遊底筒形状に形成されて筒開口が水平面内における上記後方と略直交する側方向（前後方向と略直交する方向であり、本例では右方向）に開口するようにされ、また弁体２１は弁室２２の筒開口を水密的に閉塞するように弁室２２内に配置され且つ弁室２２内で水平軸廻りに回動するように軸支されていて、一端が上記筒開口から上記側方向に突出されている。ここで、上記弁体２１の一端には略Ｄ字断面の軸状に形成された接続軸部２１ａが形成されている。また、給水管４ａ及び送水管４ｂの接続口は上下に隣接して配置されて管体接続口２６を形成しており、この管体接続口２６には後述の接続用キャップ４７が取着されるキャップ取着用フランジ部２７、ケース６に外嵌される段部を備えたケース嵌合用フランジ部２８が後方から順に設けられている。このキャップ取着用フランジ部２７、ケース嵌合用フランジ部２８はそれぞれ管体接続口２６の軸方向外側に向けて突設された円盤状の部位であり、ケース嵌合用フランジ部２８よりも大きい外径のキャップ取着用フランジ部２７の外周面には後述の接続キャップの内周面の雌ネジ部４７ａを螺合させる雄ネジ部２７ａが刻設されている。また、この切替弁５にはその上面及び下面においてそれぞれ複数箇所（本例では３箇所）に上方及び下方向に突出する係止突起２９が形成されている。
【００１９】
切替ユニット２の外殻を形成するケース６は図４の上ケース６ａと図５の下ケース６ｂとで構成される。上ケース６ａは図４のように上面壁３０の周縁から側面壁３１が垂下してなる下方に開口する容器形状を有している。上面壁３０には、切替弁５の水栓接続口２５が配置される水栓接続用孔３４が穿設されると共に、その下面の複数箇所に切替弁５の上面の係止突起２９を係止させる係止凹部３５が形成されている。また上面壁３０からは側面壁３１同士を連結する連結壁３３も垂下されており、連結壁３３や側面壁３１の下端はケース６の接合部となる部位であって略水平に形成されている。そして、連結壁３３や側面壁３１の下端面にはその適所に後述の下ケース６ｂの接合用突起９が係止する接合用凹部１０が形成されている。また、側面壁３１における後方に面する後面部には切替弁５の管体接続口２６が挿通される半円孔状の管体接続用孔３６が穿設され、側面壁３１における側方に面する一対の側面部には操作部７を保持するための半円孔状の操作部保持用孔３７がそれぞれ穿設されている。
【００２０】
下ケース６ｂは図５のように下面壁３２の周縁から側面壁３１が立設してなる上方に開口する容器形状を有している。下面壁３２には、切替弁５の各種吐水口が臨む各種吐水用孔（本例ではストレート吐水孔、シャワー吐水孔及び処理水吐水孔）が設けられると共に、その上面の複数箇所に切替弁５の下面の係止突起２９を係止させる係止凹部３５が形成されている。また下面壁３２からは側面壁３１同士を連結する連結壁３３も立設されており、この連結壁３３や側面壁３１の上端はケース６の接合部となる部位であって略水平に形成されている。そして、この連結壁３３や側面壁３１の上端面には接合用突起９が上方に向けて適所にそれぞれ突設されている。また、側面壁３１には上ケース６ａと同様に半円孔状の管体接続用孔３６、操作部保持用孔３７が穿設されている。上ケース６ａと下ケース６ｂとを接合した際には、半円孔状の各管体接続用孔３６、各操作部保持用孔３７が合一されて円形状の管体接続用孔３６、操作部保持用孔３７が形成されるようになる。詳しくは、上記連結壁３３は操作部保持用孔３７の前縁部分で側面壁３１に連結されると共にシャワー吐出孔を縁取るようにして下面壁３２から立設されており、上記接合用突起９は操作部保持用孔３７の後方部位の側面壁３１の上端面及び連結壁３３の上端面に沿って並ぶようにして複数設けられている。また、操作部保持用孔３７の孔内面には適所に抜止用突部１７が操作部保持用孔３７の径内方向に向けて突設されている。
【００２１】
ここで、上ケース６ａ及び下ケース６ｂにおける操作部保持用孔３７付近の側面壁３１は側面壁３１の他の部位に比べて肉厚に形成されており、この部位には操作部保持用孔３７の孔縁に一定の間隔を保って縁取るような円弧状の係合凹溝３８が側外方に開口するように形成されている。つまり、操作部保持用孔３７と係合凹溝３８との間には側面壁３１の一部である円弧ひれ状の仕切壁３９が位置して操作部保持用孔３７と係合凹溝３８とが仕切られるようになっている。また、係合凹溝３８には、操作部保持用孔３７の径外方向に溝幅を広げるような回動規制用溝部１３が円弧状の係合凹溝３８の円弧方向において操作部７の回動範囲と同長さの部位に形成されている。この回動規制用溝部１３は操作部保持用孔３７の孔中心に対して対称位置に一対設けられており、本例では操作部保持用孔３７の上方部位及び下方部位に位置する係合凹溝３８の部位にそれぞれ設けられている。そして、上記操作部保持用孔３７と係合凹溝３８とを仕切る仕切壁３９には、操作部保持用孔３７と回動規制用溝部１３とを連通させる案内溝部１５が上下方向に貫通するように形成されている。
【００２２】
操作部７は、図６のように、レバー本体１８とキャップ体１９とで構成されている。レバー本体１８は一対の垂直板状の脚片部１８ａの前端間に使用者が把持して操作する桟状の把持部１８ｂを架設して形成されており、各脚片部１８ａの後部に切替ユニット２に取付けるユニット取付部１８ｃが設けられている。ユニット取付部１８ｃにおける脚片部１８ａの内面側（一対の脚片部１８ａの対向面）には、枢支軸部４０や回動規制用突部１４が内方向に向けてそれぞれ突設されている。枢支軸部４０は操作部保持用孔３７に回転自在に嵌合させて枢支される部位であり、この枢支軸部４０の周面には上下のケース６の接合面に直交する面方向にのみ開口した抜止用溝部１６が形成され、一方の枢支軸部４０の突出端面には接続軸部２１ａを回転不能に嵌合させる断面略Ｄ字状の接続軸嵌合孔４０ａが形成されている。回動規制用突部１４は脚片部１８ａの内面の枢支軸部４０の径外方向の部位において、枢支軸部４０と所定間隔をあけて設けられており、本例では枢支軸部４０の軸芯に対する略対称位置に一対設けられている。また、ユニット取付部１８ｃにおける脚片部１８ａの外面側には、キャップ体１９を収納する円状のキャップ挿入凹部４１が枢支軸部４０と同軸で枢支軸部４０の外径よりも大きい内径を有するようにして凹設されている。キャップ挿入凹部４１の底面部には、後述のキャップ体１９の装着爪４４を挿入して係合させる装着爪用係合孔４２が内外に貫通するように穿設されると共に、後述のキャップ体１９の係合突片４５が挿通される係合突片挿通孔４３が内外に貫通するように穿設されている。また、キャップ体１９は、レバー本体１８のキャップ挿入凹部４１に収納される円盤状のカバー板部１９ａの裏面から装着部１９ｂと係合部１９ｃとをそれぞれ突設させて形成されている。装着部１９ｂはカバー板部１９ａの裏面における前後部位に一対設けられた装着爪４４で構成されており、また、係合部１９ｃはカバー板部１９ａの裏面における上下部位に一対設けられた円弧突板状の係合突片４５で構成されている。つまり、キャップ体１９は装着爪４４をレバー本体１８の装着爪用係合孔４２に挿入して係合させることでレバー本体１８のキャップ挿入凹部４１に収納されてレバー本体１８に装着されるのであり、このとき、キャップ体１９の係合突片４５はレバー本体１８の係合突片挿通孔４３を挿通して、レバー本体１８のユニット取付部１８ｃから枢支軸部４０の外側に一定の間隔を保って枢支軸部４０と共に内側に向けて突出するようになる。
【００２３】
上記の切替弁５、ケース６、操作部７及び管体４を一体に組み立てることで切替ユニット２が形成される。すなわち、切替ユニット２は、下ケース６ｂの接合用突起９と上ケース６ａの接合用凹部１０との係止によって下ケース６ｂと上ケース６ａとを接合一体化させて切替ユニット２の外殻を構成するケース６が形成されており、そして図９のように、切替弁５の係止突起２９とケース６の係止凹部３５とを複数箇所で係止させるといった位置決め手段１１を伴う係合構造で、位置決めを伴う高い組立強度にてケース６内の所定位置に切替弁５を内装している。なお、位置決め手段１１を伴う係合構造にあっては切替弁５に係止凹部３５を、ケース６に係止突起２９を設けるようにしてもよい。
【００２４】
ここで、ケース６に切替弁５を内装した状態では、ケース６の管体接続用孔３６から後方に向けて切替弁５の管体接続口２６が突出するように配置される。詳しくは、図８のように、ケース６の管体接続用孔３６の孔内面には段部３６ａが備えられており、この段部３６ａに管体接続口２６のケース嵌合用フランジ部２８の段部２８ａを係止させて位置決めをした上でこのケース嵌合用フランジ部２８がケース６の管体接続用孔３６に嵌合されて固定される。このとき、切替弁５の管体接続口２６におけるキャップ取着用フランジ部２７がケース６の管体接続用孔３６の後方開口縁に当接して隣接配置される。管体接続用孔３６を穿設したケース６の部位は管体接続用孔３６を内部に有する筒部形状に形成されており、この筒部形状の外径はキャップ取着用フランジ部２７の外周面と略同径かそれ以下の外径に形成されている。管体接続用孔３６より後方に突出して配置された管体接続口２６の先端部位には管体４（給水管４ａ及び送水管４ｂ）が接続されるのであって、以下のように接続部８が構成される。詳しくは、弁体２１の管体接続口２６の先端部位は各水路を形作る筒形状にされており、この筒形状の管体接続口２６の先端部位の外周面には先端に向けて肉厚を薄くするテーパ形状に施されており、この管体接続口２６の先端部位に管体４（給水管４ａ及び送水管４ｂ）の一端を外嵌させるように後方から無理嵌めさせることで給水管４ａ及び送水管４ｂが所定の水路に連通する。そして、上記管体接続口２６の先端部位に外嵌した管体４の一端に対して締付部材４６が更に外側から被着される。締付部材４６は管体嵌込孔４６ａを備えた筒状体であり、この管体嵌込孔４６ａに上記管体接続口２６の先端部位に外嵌した管体４の一端を嵌合させた状態で、上記管体接続口２６の先端部位に被着されている。そして、後端部に内径を細めた締付用突部４７ｂを有した筒状の接続用キャップ４７が、上記管体接続口２６の先端部位に被着した締付部材４６の外側から管体接続口２６全体を覆うようにして被着されている。接続用キャップ４７はその内周面に雌ネジ部４７ａが刻設されており、この雌ネジ部４７ａをキャップ取着用フランジ部２７の外周面の雄ネジ部２７ａに後方から螺合させて前方に螺進させることで、接続用キャップ４７の締付用突部４７ｂが締付部材４６を前方に向けて押し込ませるのであり、この押し込まれた締付部材４６によって上記テーパ状に施された管体接続口２６の先端部位に管体４がきつく外嵌されるようになり、管体４が管体接続口２６に水密性を備えて接続するようにされるのである。このとき、接続用キャップ４７の前端部分は、管体接続用孔３６を穿設した筒状のケース６の部位を覆うように位置される。つまり、切替ユニット２への管体４の接続部８では、切替弁５に取付けた接続用キャップ４７が接合した上ケース６ａと下ケース６ｂとを上下から挟み込むように位置されており、すなわち、接続用キャップ４７によると接合した上ケース６ａと下ケース６ｂとの分解を規制する構造とされている。しかして、切替ユニット２への管体４の接続部８では、ケース６の接合部を取り付けるといったこともなされており、接合したケース６の組立強度が高められた構造にされているのである。
【００２５】
また、ケース６に切替弁５を内装した状態では、図７や図１０のように、ケース６の一方の操作部保持用孔３７に弁体２１の接続軸部２１ａが臨んで配置されるのであり、この接続軸部２１ａとレバー本体１８の接続軸嵌合孔４０ａとが嵌合し、レバー本体１８の枢支軸部４０がケース６の両操作部保持用孔３７に回転自在に軸支されることで、切替弁５の操作を行う操作部７が切替弁５に連結されて切替ユニット２に取付けられている。ここで、操作部７が切替ユニット２に取付られた状態では、ケース６の係合凹溝３８内に操作部７の一対の係合突片４５（本例では一対の装着爪４４も）が挿入されて位置されている。詳しくは、この操作部７の一対の係合突片４５は、上ケース６ａの係合凹溝３８及び下ケース６ｂの係合凹溝３８に一つずつ挿入する態様で、ケース６の係合凹溝３８内に位置されている。つまり、操作部７の一対の係合突片４５は（一対の装着爪４４も）接合した上ケース６ａと下ケース６ｂとを上下から挟み込むように位置されているのであり、すなわち、この係合突片４５によると接合した上ケース６ａと下ケース６ｂとの分解を規制する構造とされている。このように切替ユニット２に取付けた操作部７によると、ケース６の接合部を取り付けるといったこともなされており、接合したケース６の組立強度が高められた構造にされているのである。
【００２６】
また、操作部７が切替ユニット２に取付られた状態では、操作部７の回動規制用突部１４がケース６の回動規制用溝部１３に挿入配置される。この回動規制用突部１４と回動規制用溝部１３とが挿入されてなる回動規制部１２は、弁体２１の回動操作を行う操作部７の回転範囲を規制するものである。これによると、切替弁５自体に回動規制部１２を設けずに済むことから切替弁５の構成を簡略化できると共に、操作部７を過剰に回動させる等の不適当な操作があっても上記操作の力を切替弁５に直接作用させずに回動規制部１２を介してケース６全体で支えるようにできることから、切替弁５にかかる負荷を低減できて切替弁５の耐久性を向上できるものである。また、操作部７が切替ユニット２に取付られた状態では、ケース６の抜止用突部１７がレバー本体１８の枢支軸部４０の抜止用溝部１６内に挿入配置される。抜止用溝部１６は上記のようにケース６の接合面に直交する面方向にのみ開口しているので、上記のように抜止用突部１７が抜止用溝部１６に挿入されたことで、操作部７（詳しくはレバー本体１８）がケース６から抜け落ちることが防止されているのである。
【００２７】
上述のように本例の切替ユニット２はネジを使用せずに組み立てられているのであり、従来のネジを使用する切替ユニット２のように組立作業が煩雑であったりケミカルクラックの生じる恐れがあったりするものではない。しかも、本例の切替ユニット２におけるケース６の接合は、上述のように水路の端部が臨む管接続部（管体接続口２６）及び切換弁の弁体２１の端部が臨む弁接続部（接続軸部２１ａ）を上下のケース６の接合部に設け、管体４を管取付部（接続用キャップ４７）を介して上記管接続部に接続すると共にこの管取付部を上下のケース６に亙るようにして上ケース６ａと下ケース６ｂとにケース６の接合面を挟むようにそれぞれ係合し、また弁体２１を操作する操作部７に設けた弁体取付部（接続軸嵌合孔４０ａを備えたユニット取付部１８ｃ）を上記弁接続部に接続すると共に、この弁体取付部を上下のケース６に亙るようにして上下のケース６にそれぞれ係合することで行わせているので、つまり、ケース６に内装した切替弁５への管体４の接合部やこの切替弁５に取付けた操作部７における上ケース６ａや下ケース６ｂへの係合構造によってそれぞれ上ケース６ａと下ケース６ｂとの分離を防ぐようにされているから、従来のようにネジを使用しないでも、ケース６に給水管４ａや操作部７の取付けを含めた組立強度を充分に確保することができたものである。
【００２８】
なお、本例の切替ユニット２は、たとえば、切替弁５に操作部７のレバー本体１８を取付けると共に接続部８において管体４の一端を切替弁５の水路に連通させ、このレバー本体１８付きの切替弁５を下ケース６ｂに取付け、この切替弁５付きの下ケース６ｂに上ケース６ａを被せて接合し、レバー本体１８にキャップ体１９を装着して操作部７を取付け、接続部８において接続用キャップ４７を取付けることで組み立てることができる。ここで、本例の操作部７のキャップ体１９は上述のように装着爪４４と係合突片４５を備えているから、操作部７のキャップ体１９をレバー本体１８に装着した際に初めて操作部７によるケース６の接合部の取付けが行われるのであり、つまり、キャップ体１９がレバー本体１８に装着されている限り、操作部７によるケース６の接合部の取付け状態が維持できるようにされている。更に言うと、このように切替ユニット２への操作部７の取付けを、まず切替弁５の弁体２１にレバー本体１８を連結し、次いでケース６接合後にレバー本体１８にキャップを取付けて上下のケース６にそれぞれ係合させるようにしたことで、弁体２１への連結やケース６への係合を一気に行わずに順番に行うことができることから、組立性を良好にできる利点も有している。また、この切替ユニット２組立時においてレバー本体１８を連結した切替弁５の上下から上ケース６ａ及び下ケース６ｂを被せるように近接して接合させる際には、レバー本体１８の脚片部１８ａの内面から内方に向けて突出した回動規制用突部１４はケース６に設けた案内溝部１５を介して回動規制用溝部１３内にスムーズに収めることができるのであり、この点でも切替ユニット２の組立性が容易されているのである。
【００２９】
図１１には本発明の実施の形態の他例を示す。この例は、処理ユニット３に、給水管４ａにて給水された原水を水処理して得た処理水を切替ユニット２に送水せずに処理ユニット３自身から吐水させる吐水部２０を設けた例である。この場合、処理水モードは、原水を切替ユニット２により給水管４ａ向けの水路に流して給水管４ａを介して処理ユニット３に供給し、処理ユニット３にて生成した処理水を処理ユニット３に設けた吐水部２０から吐水するようにされる（矢印Ａ→Ｄ→Ｅ→Ｆ→Ｇ→Ｋ→Ｌ→Ｍ）。処理ユニット３の吐水部２０から直接吐水する吐水経路は処理ユニット３から切替ユニット２を介して吐水させる吐水経路に比べて短くできるから、吐水経路に溜まって衛生上の理由から捨水となる滞留水を減らすことができて、節水効果を向上できると共に捨水にかかる時間を低減できて水処理装置１の使用性を高めることができる。なお、本例の水処理装置１としては先の実施の形態の例と同様の水処理装置１に上記吐水部２０を加えて構成させたものであって、つまり、切替ユニット２や管体４は先の実施の形態のものをそのまま使用したものであって、送水管４ｂや切替弁５の処理水吐水向け水路２４を使用しない使用形態が採られたものであるが、給水管４ａのみで管体４を構成させたり切替弁５の処理水吐水向け水路２４を無くしたりして、水処理装置１の構成の簡略化や切替ユニット２の小型化を図ったりしてもよいのは言うまでもない。
【産業上の利用可能性】
【００３０】
本発明の水処理装置１は、原水を浄化する浄水装置や、ミネラル成分を添加するミネラル添加装置、さらには原水を電気分解して電解水を生成する電解水生成装置への応用が基体できる。
【図面の簡単な説明】
【００３１】
【図１】本発明の実施の形態の例の水処理装置であり、（ａ）は全体の斜視図であり、（ｂ）（ｃ）は要部の斜視図である。
【図２】同上の水処理装置における切替ユニットの分解斜視図である。
【図３】同上の切替弁であり、（ａ）は平面図であり、（ｂ）は左側面図であり、（ｃ）は右側面図であり、（ｄ）は下面図である。
【図４】同上の上ケースであり、（ａ）は平面図であり、（ｂ）は左側面図であり、（ｃ）は右側面図であり、（ｄ）は下面図である。
【図５】同上の下ケースであり、（ａ）は平面図であり、（ｂ）は左側面図であり、（ｃ）は右側面図であり、（ｄ）は下面図である。
【図６】同上の操作部であり、（ａ）（ｂ）はレバー本体の斜視図であり、（ｃ）（ｄ）はキャップ体の斜視図である。
【図７】同上の切替ユニットの水平断面図である。
【図８】同上の接続部付近の要部の断面図である。
【図９】図７のＡ−Ａ線断面図である。
【図１０】図７のＢ−Ｂ線断面図である。
【図１１】本発明の実施の形態の他例の水処理装置であり、（ａ）は全体の斜視図であり、（ｂ）（ｃ）は要部の斜視図である。
【符号の説明】
【００３２】
１  水処理装置
２  切替ユニット
３  処理ユニット
４  管体
４ａ  給水管
５  切替弁
６  ケース
６ａ  上ケース
６ｂ  下ケース
７  操作部
８  接続部
【図１】
0004770364.tif 000002
【図２】
0004770364.tif 000003
【図３】
0004770364.tif 000004
【図４】
0004770364.tif 000005
【図５】
0004770364.tif 000006
【図６】
0004770364.tif 000007
【図７】
0004770364.tif 000008
【図８】
0004770364.tif 000009
【図９】
0004770364.tif 000010
【図１０】
0004770364.tif 000011
【図１１】
0004770364.tif 000012